(57)【要約】【課題】たとえばオフィスビルから住宅への転用に際して、遮音性に優れた室内空間を提供することのできるインフィル形成システム。【解決手段】室内空間を提供するためのインフィルユニット（１）と、構造躯体（１０）からインフィルユニットを吊り下げるための吊り部材（２ａ）と、インフィルユニットの揺れを防ぐための振れ止め部材（３）とを備えている。振れ止め部材は、構造躯体の壁部（１２）とインフィルユニットとの間に配設されたダンパー（３ａ）、および構造躯体の床部（１３）とインフィルユニットとの間に配設されたダンパー（３ｂ）を有する。【選択図】  図１
2004293134.tif 000002
【特許請求の範囲】
【請求項１】
室内空間を提供するためのインフィルユニットと、
構造躯体から前記インフィルユニットを吊り下げるための吊り部材と、
前記インフィルユニットの揺れを防ぐための振れ止め部材とを備えていることを特徴とするインフィル形成システム。
【請求項２】
前記振れ止め部材は、前記構造躯体の壁部または柱部と前記インフィルユニットとの間に配設されたダンパーを有することを特徴とする請求項１に記載のインフィル形成システム。
【請求項３】
前記振れ止め部材は、前記構造躯体の床部と前記インフィルユニットとの間に配設されたダンパーを有することを特徴とする請求項１または２に記載のインフィル形成システム。
【請求項４】
室内空間を提供するためのインフィルユニットを構造躯体から吊り下げ、
前記インフィルユニットの揺れを防ぐために前記構造躯体の壁部または柱部と前記インフィルユニットとの間にダンパーを配設することを特徴とするインフィル形成方法。
【請求項５】
室内空間を提供するためのインフィルユニットを構造躯体から吊り下げ、
前記インフィルユニットの揺れを防ぐために前記構造躯体の床部と前記インフィルユニットとの間にダンパーを配設することを特徴とするインフィル形成方法。
【発明の詳細な説明】
【０００１】
【発明の属する技術分野】
本発明は、吊り方式によるインフィル形成システムおよびインフィル形成方法に関するものである。
【０００２】
【従来の技術】
近年、オフィスビルの過剰供給などにより、オフィスビルの住宅への転用が試みられている。
【０００３】
【発明が解決しようとする課題】
しかしながら、オフィスビルでは床スラブが比較的薄いため、特段の対策を講じることなく単に住宅に転用すると、遮音性に優れた室内空間を提供することができないという不都合があった。
【０００４】
本発明は、前述の課題に鑑みてなされたものであり、たとえばオフィスビルから住宅への転用に際して、遮音性に優れた室内空間を提供することのできるインフィル形成システムおよびインフィル形成方法を提供することを目的とする。
【０００５】
【課題を解決するための手段】
前記課題を解決するために、本発明の第１形態では、室内空間を提供するためのインフィルユニットと、
構造躯体から前記インフィルユニットを吊り下げるための吊り部材と、
前記インフィルユニットの揺れを防ぐための振れ止め部材とを備えていることを特徴とするインフィル形成システムを提供する。
【０００６】
第１形態の好ましい態様によれば、前記振れ止め部材は、前記構造躯体の壁部または柱部と前記インフィルユニットとの間に配設されたダンパーを有する。また、前記振れ止め部材は、前記構造躯体の床部と前記インフィルユニットとの間に配設されたダンパーを有することが好ましい。
【０００７】
本発明の第２形態では、室内空間を提供するためのインフィルユニットを構造躯体から吊り下げ、
前記インフィルユニットの揺れを防ぐために前記構造躯体の壁部または柱部と前記インフィルユニットとの間にダンパーを配設することを特徴とするインフィル形成方法を提供する。
【０００８】
本発明の第３形態では、室内空間を提供するためのインフィルユニットを構造躯体から吊り下げ、
前記インフィルユニットの揺れを防ぐために前記構造躯体の床部と前記インフィルユニットとの間にダンパーを配設することを特徴とするインフィル形成方法を提供する。
【０００９】
【発明の実施の形態】
本発明の実施形態を、添付図面に基づいて説明する。
図１は、本発明の実施形態にかかるインフィル形成システムの構成を概略的に示す図である。なお、本実施形態では、ＲＣ（鉄筋コンクリート）造のオフィスビルから住宅への転用に対して本発明を適用している。
【００１０】
図１を参照すると、本実施形態のインフィル形成システムは、室内空間を提供するためのインフィルユニット１と、オフィスビルのＲＣ造の構造躯体１０からインフィルユニット１を吊り下げるための吊り部材２と、インフィルユニット１の揺れを防ぐための振れ止め部材３とを備えている。
【００１１】
インフィルユニット１は、住宅のための室内空間（インフィル）を内部空間として提供する構造体であって、たとえば出入口や窓に対応する開口部が形成された立方体状の形態を有する。また、吊り部材２は、たとえば構造躯体１０の梁部１１（または上階の床部）とインフィルユニット１とを連結する複数の連結棒材２ａにより構成されている。連結棒材２ａとして、たとえば鋼棒、ＦＲＰ棒などを用いることができる。
【００１２】
さらに、振れ止め部材３は、構造躯体１０の壁部１２（または柱部）とインフィルユニット１との間に配設されたダンパー３ａや、構造躯体１０の当該階の床部１３とインフィルユニット１との間に配設されたダンパー３ｂにより構成されている。ここで、ダンパー３ａおよび３ｂは、たとえば粘性抵抗などを利用して揺れ振動を吸収する機構であって周知の構成を有する。
【００１３】
以上のように、本実施形態では、吊り方式を採用しているので、構造躯体１０の床部１３と室内空間を提供するインフィルユニット１の床とが空間を隔てて切り離され、生活騒音の直接的な伝播を回避することができる。また、構造躯体１０の壁部１２とインフィルユニット１の壁とが空間を隔てて切り離されているので、構造躯体１０の床部１３とインフィルユニット１の床との間で音が反響することがない。
【００１４】
その結果、本実施形態では、床スラブが比較的薄いオフィスビルからの住宅への転用に際して、生活騒音の直接的な伝播や床の間における音の反響を抑えて、非常に快適な居住性を、ひいては遮音性に優れた室内空間を提供することができる。また、本実施形態では、構造躯体１０の床部１３とインフィルユニット１の床との間にフリーアクセスの空間が確保されるので、このフリーアクセスの空間を利用して平坦に且つ自由に配管および配線を行うことができる。
【００１５】
また、本実施形態では、吊り部材２としての連結棒材２ａが比較的短くなるので、複数の連結棒材２ａを介して吊り下げられたインフィルユニット１の固有周期も比較的短くなる。また、インフィルユニット１の揺れを防ぐための振れ止め部材３として、壁部１２とインフィルユニット１との間にダンパー３ａが配設され、床部１３とインフィルユニット１との間にダンパー３ｂが配設されている。その結果、本実施形態では、免震性能の高い室内空間を提供することができる。また、インフィルユニット１が複数の連結棒材２ａを介して吊り下げられているので、インフィルユニット１の構成部材のうち、主に引張り力を受ける構成部材の数が多くなる。その結果、比較的小さな断面を有する部材でインフィルユニット１を構成することができ、ひいてはコストを低減することができる。
【００１６】
なお、上述の実施形態では、ＲＣ造のオフィスビルから住宅への転用に対して本発明を適用している。しかしながら、これに限定されることなく、様々な構造形態（鉄骨鉄筋コンクリート造、鉄骨コンクリート造、鉄骨造、木造など）を有する構造物の転用や改修や新築などに本発明を適用することもできる。
【００１７】
また、上述の実施形態では、インフィルユニットの揺れを防ぐための振れ止め部材として、構造躯体の壁部（または柱部）とインフィルユニットとの間に配設されたダンパーや、構造躯体の床部とインフィルユニットとの間に配設されたダンパーを用いている。しかしながら、これに限定されることなく、振れ止め部材の形態および配置について本発明の範囲内において様々な変形例が可能である。
【００１８】
また、上述の実施形態では、構造躯体からインフィルユニットを吊り下げるための吊り部材として、構造躯体の梁部（または上階の床部）とインフィルユニットとを連結する複数の連結棒材を用いている。しかしながら、これに限定されることなく、吊り部材の形態および配置について本発明の範囲内において様々な変形例が可能である。
【００１９】
【発明の効果】
以上説明したように、本発明では、吊り方式を採用しているので、構造躯体の床部とインフィルユニットの床とが空間を隔てて切り離され、生活騒音の直接的な伝播を回避することができる。また、構造躯体の壁部とインフィルユニットの壁とが空間を隔てて切り離され、構造躯体の床部とインフィルユニットの床との間で音が反響することがない。
【００２０】
その結果、本発明では、床スラブが比較的薄いオフィスビルからの住宅への転用に際して、生活騒音の直接的な伝播や床の間における音の反響を抑えて、遮音性に優れた室内空間を提供することができる。また、本発明では、構造躯体の床部とインフィルユニットの床との間にフリーアクセスの空間が確保されるので、このフリーアクセスの空間を利用して平坦に且つ自由に配管および配線を行うことができる。
【００２１】
また、本発明では、比較的短い吊り部材を介して吊り下げられたインフィルユニットの固有周期が比較的短くなり、且つ、例えばダンパーのような振れ止め部材の作用によりインフィルユニットの揺れが防止されるので、免震性能の高い室内空間を提供することができる。
【図面の簡単な説明】
【図１】本発明の実施形態にかかるインフィル形成システムの構成を概略的に示す図である。
【符号の説明】
１  インフィルユニット
２  吊り部材
２ａ  連結棒材
３  振れ止め部材
３ａ，３ｂ  ダンパー
１０  構造躯体
１１  梁部（または上階の床部）
１２  壁部（または柱部）
１３  当該階の床部
【図１】
2004293134.tif 000003